(57)【特許請求の範囲】
【請求項１】
キー複製用装置におけるキーの掴み固定装置であり、幅方向略中央部に、表面より陥没し略水平面状をなす溝底部（１１）と、該溝底部（１１）の両側から上り勾配の傾斜角で立ち上がる立ち上がり壁（１２、１２）と、により形成された逆山状の溝条（９）を有するキー（１０）と、前記溝条（９）に略嵌まり込む山状の第１掴み部（１４）を備えた掴み固定具（１３）とを有し、該第１掴み部（１４）は、前記キー（１０）の溝底部（１１）より多少長い幅を有する水平頂部（１６）と、水平頂部（１６）の両端から、前記キー（１０）の溝底部（１１）と立ち上がり壁（１２、１２）とにより形成される角度と同等の角度で傾斜する両傾斜片（１７、１７）とにより形成されてなることを特徴とするキー複製用装置におけるキーの掴み固定装置。
【請求項２】
キー複製用装置におけるキーの掴み固定装置であり、幅方向略中央部に、表面より陥没し略水平面状をなす溝底部（１１）と、該溝底部（１１）の両側から上り勾配の傾斜角で立ち上がる立ち上がり壁（１２、１２）と、により形成された逆山状の溝条（９）を有するキー（１０）と、前記溝条（９）に略嵌まり込む山状の第１掴み部（１４）を備えた掴み固定具（１３）を有し、該第１掴み部（１４）は、前記キー（１０）の溝底部（１１）より多少長い幅を有する水平頂部（１６）と、水平頂部（１６）の両端から、前記キー（１０）の溝底部（１１）と立ち上がり壁（１２、１２）とにより形成される角度より大きな角度で傾斜する両傾斜片（１７、１７）とにより形成されてなることを特徴とするキー複製用装置におけるキーの掴み固定装置。
【発明の詳細な説明】
【０００１】
【産業上の利用分野】
本発明は、キー複製用装置におけるキーの掴み固定装置に関するものである。ここで、キー複製用装置とは、元キー（複製しようとする元のキー）１のキー形状外周をガイドがなぞることにより、カッター刃が前記ガイドと同じ軌道で動作するよう構成し、切削前のいわゆるノーカットのキーを元キー１のキー形状通りに切削して複製キーを製作する装置を指標するものである。
【０００２】
また、キー複製用装置におけるキーの掴み固定装置とは、前記元キー１のキー形状外周をガイドが正確になぞれる様にするため、該元キー１を掴んで固定する装置と、切削前のいわゆるノーカットのキー１０を元キー１のキー形状通りに切削すべく、該ノーカットキーを掴んで固定する装置の双方を指標するものである。
【０００３】
しかして、キーの複製に際しては、キーを差し込んで施解錠する錠装置の内部シリンダーの構造上、キーのセンター位置（キーの幅方向中央位置）からカットされた（切削された）位置までの寸法の正確性がきわめて重要な要素となっている。すなわち、図１３に示す元キー１あるいは複製したキーを参照して説明すると、キーのセンター位置（キーの幅方向中央位置）からカットされた（切削された）位置までの寸法が正確でないと、たとえ元キー１から複製した複製キーであっても、施解錠出来なくなるからである。
【０００４】
よって、該元キー１の複製に際しては、キーのセンター位置に設けられた溝条９の位置や溝条９の幅の寸法が多少違う元キー１及び同様に寸法が違う複製すべきノーカットキー１０をいかに厳密にセンター合わせして掴み固定装置に掴ませるかが重要なポイントとなっているのである。
【０００５】
【従来の技術】
ところで、元キー１あるいは複製すべき切削形成用キー（ノーカットキー）１０の幅方向中央部には図示するような溝条９が設けられているが、この溝条９は図９から図１１までのパターンで形成されている可能性がある。すなわち、符号Ｘで示された幅のものは正常の長さのものであるが、そのほかに例えばＸ＋０．５ミリメートルの幅のもの、Ｘ−０．５ミリメートルの幅のものがいわゆる切削誤差として形成される可能性がある。
【０００６】
ここで、従来、キー複製用装置におけるキーの掴み固定装置としては、図４乃至図６に示されているものが一般に知られている。そして、これらの掴み固定装置は、図４、図５、図７、特に図７から理解されるように、元キー１あるいは切削形成用キー１０の正常な幅Ｘの溝底部１１より若干短いＸ−０．５ミリメートルとほぼ同程度の幅を有し、該溝底部１１を押圧する水平頂部１６を有する略直方体状をなす第１掴み部１４を有している。
【０００７】
ここで、水平頂部１６を何故キー１０の正常な幅Ｘの溝底部１１より若干短いＸ−０．５ミリメートルとほぼ同程度の幅に形成するかであるが、この幅のものでなければ切削誤差で形成されたＸ−０．５ミリメートルの溝条９の幅を有する元キー１あるいは切削形成用キー１０は掴み固定することが出来ないからである。
【０００８】
よって、従来は第１掴み部１４の水平頂部１６を元キー１あるいは切削形成用キー１０の正常な幅Ｘの溝底部１１より若干短いＸ−０．５ミリメートルとほぼ同程度の幅にして、切削誤差で形成されたＸ−０．５ミリメートルの溝条の幅を有する元キー１あるいは切削形成用キー１０のみならず、Ｘ＋０．５ミリメートルの溝条９の幅を有する元キー１あるいは切削形成用キー１０を、さらにはＸの溝条９の幅を有する元キー１あるいは切削形成用キー１０をも掴み固定できるように構成されているのである。
【０００９】
尚、図４、図５において符号１５は第２掴み部であり、この第１掴み部１４と第２掴み部１５とにより、元キー１あるいは複製すべき切削形成用キー１０を掴み固定し、切削作業するものとなる。しかし、前述のような従来の第１掴み部１４では、Ｘ＋０．５ミリメートルの溝条９の幅を有する元キー１あるいは切削形成用キー１０及びＸの溝条９の幅を有する元キー１あるいは切削形成用キー１０の正確な掴み固定がきわめて困難なものとなる。
【００１０】
すなわち、水平頂部１６の幅がキー１０の溝条の幅（Ｘ＋０．５ミリメートルの幅及びＸの幅）より短いため、キーのセンター位置を求め、かつキーの溝条の両側に正確に隙間Ｙ，Ｙを割りふって第１掴み部を固定するのがきわめて困難な作業だからである（図１２参照）。よって、この様に従来は、複製すべきキー１０のセンター位置での固定が難しく、最終的に複製したキー１０にも切削誤差が大きく生じてしまうとの課題があった。
【００１１】
また、図６に示す従来の装置では、第１掴み部１４が元キー１あるいは複製すべき切削形成用キー１０の溝底部１１と略同等の長さの水平頂部１６と、前記キー１あるいは１０の溝底部１１と該溝底部１１の一端側から上り勾配で立ち上がる立ち上がり壁１２とで形成される傾斜角と同等の傾斜角からなる傾斜片１７で形成されているものであるが、この様な第１掴み部１４を使用したとしても、前記溝底部１１における切削誤差を解消することは出来ないものであった。
【００１２】
すなわち、図６、図８から理解されるように、この従来例においても、水平頂部１６の幅がキー１０の溝条の幅（Ｘ＋０．５ミリメートルの幅及びＸの幅）より短いため、キーのセンター位置を求め、かつキーの溝条の両側に誤差Ｗを割りふって第１掴み部を固定するのがきわめて困難な作業だからである。すなわち、図６はキー１あるいは１０の溝条の両側に誤差Ｗを同等正確に割りふることが出来ず、溝底部１１の幅方向の一端側に形成された立ち上がり壁１２に、第１掴み部１４の傾斜片１７を当接させて固定してしまった例であり、溝底部１１の長さに誤差Ｗが生じている場合にはその誤差Ｗの分だけずれを生じさせて掴み固定するものとなってしまっている。
【００１３】
このように従来の装置で製作された複製キーでは、溝条のセンター位置での掴み固定が難しくそのため誤差が生じてしまい、施解錠操作がスムーズに出来ないかあるいは全く出来なくなってしまうとの課題があったのである。
【００１４】
【発明が解決しようとする課題】
かくして、本発明は前記これら従来の課題を解決するために創案されたものであり、複製すべきキーの溝底部に切削誤差（例えばＸが正確な長さとすれば、Ｘ＋０．５ミリメートルあるいはＸ−０．５ミリメートルの切削誤差）が生じていても、その誤差を無視し、センター位置を正確に合わせて掴み固定することができ、もって施解錠操作がスムーズに行える正確なキー形状を有するキーを複製できるキー複製用装置におけるキーの掴み固定装置を提供することを目的とするものである。
【００１５】
【課題を解決するための手段】
本発明は、キー複製用装置におけるキーの掴み固定装置であり、幅方向略中央部に、表面より陥没し略水平面状をなす溝底部１１と、該溝底部１１の両側から上り勾配の傾斜角で立ち上がる立ち上がり壁１２、１２と、により形成された逆山状の溝条９を有するキー１０と、前記溝条９に略嵌まり込む山状の第１掴み部１４を備え、該第１掴み部１４は、前記キー１０の溝底部１１より多少長い幅を有する水平頂部１６と、水平頂部１６の両端から、前記切削成形用キー１０の溝底部１１と立ち上がり壁１２、１２とにより形成される角度と同等の角度で傾斜する両傾斜片１７、１７とにより形成されてなり、また、幅方向略中央部に、表面より陥没し略水平面状をなす溝底部１１と、該溝底部１１の両側から上り勾配の傾斜角で立ち上がる立ち上がり壁１２、１２と、により形成された逆山状の溝条９を有するキー１０と、前記溝条９に略嵌まり込む山状の第１掴み部１４を備え、該第１掴み部１４は、前記キー１０の溝底部１１より多少長い幅を有する水平頂部１６と、水平頂部１６の両端から、前記キー１０の溝底部１１と立ち上がり壁１２、１２とにより形成される角度より大きな角度で傾斜する両傾斜片１７、１７とにより形成されている。
【００１６】
【作用】
本発明では、第１掴み部１４が、キー１あるいはキー１０の溝底部１１より多少長い幅を有する水平頂部１６と、水平頂部１６の両端から、前記キー１あるいはキー１０の溝底部１１と立ち上がり壁１２、１２とにより形成される角度と同等あるいはそれ以上の角度で傾斜する両傾斜片１７、１７とにより形成されている。
【００１７】
よって、前記キー１あるいはキー１０の溝条９に第１掴み部１４を嵌め込んで掴み固定すると、第１掴み部１４の両傾斜片１７、１７が溝条９の両立ち上がり壁１２、１２に当接し、もってキー１０の溝条９の中心を基準線Ｐ上に合致させようとする。従って、溝底部１１の幅方向の長さにばらつきが生じたとしても、その誤差を溝底部１１の幅方向両側へ同等に割り振ることが出来、もって前記誤差を全く無視することが出来る。
【００１８】
【実施例】
以下、図に基づいて本発明に係る実施例を説明する。図１において符号１０は複製すべき切削成形用キーを示し、該切削成形用キー１０にはその幅方向中央部に陥没した略逆山状の溝条９が形成されている。そして、前記溝条９の底部には略水平面状をなす溝底部１１が形成されている。
【００１９】
さらに、この溝底部１１の両側からは所定の上り勾配の傾斜角で立ち上がる立ち上がり壁１２、１２が設けられ、溝底部１１と両立ち上がり壁１２、１２とにより切削成形用キー１０には溝条９が予め設けられている。ここで、前記溝条９は一般に切削して形成されており、特に溝条９の溝底部１１は、その幅がプラス、マイナスで０．５ミリ程の切削誤差が生じてしまうことがある。
【００２０】
次に、符号１３は本発明における掴み固定具を示し、該掴み固定具１３は第１掴み部１４と第２掴み部１５とにより構成されている。しかして、第１掴み部１４は前記切削成形用キー１０の溝条９に略嵌まり込む山状の形状をなして形成されている。すなわち、該第１掴み部１４は前記溝底部１１の幅より多少（例えば０．５ミリほど）長い幅を有する水平頂部１６と、この水平頂部１６の両側から下り勾配の傾斜角で傾斜する両傾斜片１７、１７とにより山状の形状をなして形成されているのである。
【００２１】
そして、前記水平頂部１６と両傾斜片１７、１７とで形成される傾斜角は切削成形用キー１０の溝底部１１と両立ち上がり壁１２、１２とで形成される傾斜角と同等の角度あるいはそれ以上の角度とされている。以上において、本発明の使用状態につき説明する。図１は切削成形用キー１０の溝条９に切削誤差がない場合を示したものであり、この様な切削成形用キー１０を第１掴み部１４及び第２掴み部１５で掴み固定すると、図示するように、第１掴み部１４の水平頂部１６は切削成形用キー１０の溝底部１１から若干離間し、溝底部１１と水平頂部１６との間に隙間Ｈが生じる。
【００２２】
何故なら、前述のように、水平頂部１６の長さは溝底部１１の長さより多少（例えば０．５ミリほど）長い幅を有して形成されており、溝底部１１の長さに誤差がない場合は、隙間Ｈを有して掴み固定することになるからである。しかし、この様な隙間Ｈを生じたとしても、切削成形用キー１０の掴み固定に誤差が生じるものではなく、基準線Ｐに合致したずれのない固定が出来る。よって、キー複製の切削誤差も生じない。
【００２３】
次に、図２は切削成形用キー１０の溝底部１１の長さが０．５ミリ程度短い場合の使用状態説明図である。この場合、隙間Ｈはさらに広くなる。しかし、溝条９における溝底部１１と両立ち上がり壁１２、１２とで形成される傾斜角と第１掴み部１４における水平頂部１６と両傾斜片１７、１７とで形成される傾斜角が同等であるため、基準線Ｐに切削成形用キー１０の中心が合致するように掴み固定され、０．５ミリの切削誤差はその半分の０．０２５ミリのずれＹに両側に分散されることとなる。
【００２４】
さらに図３は切削成形用キー１０の溝底部１１の長さが０．５ミリ程度長い場合の使用状態説明図である。この場合には、隙間Ｈはほぼなくなる。しかし、やはりこの場合も、溝条９における溝底部１１と両立ち上がり壁１２、１２とで形成される傾斜角と、第１掴み部１４における水平頂部１６と両傾斜片１７、１７とで形成される傾斜角とが同等であるため、前記両立ち上がり壁１２、１２と両傾斜片１７、１７とが接して基準線Ｐに切削成形用キー１０の中心が合致するように掴み固定される。
【００２５】
尚、０．５ミリ長い切削誤差はその半分の０．０２５ミリのずれＺ、Ｚは両側に分散されるが、前述のようにセンター合わせは正確にされているので、正確な複製キーが作成できる。
【００２６】
【発明の効果】
本発明は以上の構成よりなる。そして本発明によるキー複製用装置におけるキーの掴み固定装置であれば、たとえ複製すべきキーの溝底部に切削誤差が生じていても、キーのセンター合わせを正確にして掴み固定することができ、もって正確に複製され施解錠操作がスムーズに行えるキーを提供出来る優れた効果を有する。
【図面の簡単な説明】
【図１】 本発明の使用状態説明図（その１）である。
【図２】 本発明の使用状態説明図（その２）である。
【図３】 本発明の使用状態説明図（その３）である。
【図４】 従来例の使用状態説明図（その１）である。
【図５】 従来例の使用状態説明図（その２）である。
【図６】 従来例の使用状態説明図（その３）である。
【図７】 従来例の第１掴み部を示す説明図（その１）である。
【図８】 従来例の第１掴み部を示す説明図（その２）である。
【図９】 キーの溝条の幅を示す説明図（その１）である。
【図１０】 キーの溝条の幅を示す説明図（その１）である。
【図１１】 キーの溝条の幅を示す説明図（その１）である。
【図１２】 従来例の使用状態説明図（その４）である。
【図１３】 キーの説明図である。
【符号の説明】
１ 元キー
９ 溝条
１０ 切削成形用キー
１１ 溝底部
１２ 立ち上がり壁
１３ 掴み固定具
１４ 第１掴み部
１５ 第２掴み部
１６ 水平頂部
１７ 傾斜片
Ｗ 誤差
Ｈ 隙間
Ｐ 基準線
Ｙ ずれ
Ｘ 溝条幅の正確な長さ
Ｚ ずれ
【図１】
0003665104.tif 000002
【図２】
0003665104.tif 000003
【図３】
0003665104.tif 000004
【図４】
0003665104.tif 000005
【図５】
0003665104.tif 000006
【図６】
0003665104.tif 000007
【図７】
0003665104.tif 000008
【図８】
0003665104.tif 000009
【図９】
0003665104.tif 000010
【図１０】
0003665104.tif 000011
【図１１】
0003665104.tif 000012
【図１２】
0003665104.tif 000013
【図１３】
0003665104.tif 000014